(57)【要約】【課題】  非接触ＩＣカード等のカードの表示部として、電子ペーパーを有効に活用できるようにして、カードに備えられた記録部又は記憶部に記録又は記憶されたデータを表示できるようにした電子ペーパー及び電子ペーパー表示システムを提供する。【解決手段】  シート状のカード基材と、データを記録する記録部又はデータを記憶する記憶部と、前記データに基づき情報を表示する表示部と、接続端子部とを有するカード形状の電子ペーパーと、前記電子ペーパーを挿入する挿入部と、挿入された電子ペーパーの接続端子部と接触する位置に備えられた接続端子部と、電子ペーパーの記録部又は記憶部に記録又は記憶されているデータを読み取るデータ読取部と、前記データ読取部から読み取ったデータを処理する読取処理部と、読取処理部に基づき処理された情報を、前記電子ペーパーの表示部に表示するための制御を行う表示制御部とを有するリーダライタとからなる。【選択図】        図1
2008071217.tif 000002
【特許請求の範囲】
【請求項１】
シート状のカード基材と、データを記録する記録部又はデータを記憶する記憶部と、前記データに基づき情報を表示する表示部と、接続端子部とを有することを特徴とする電子ペーパー。
【請求項２】
前記カード基材の表裏面の一方側に、前記記録部が設けられ、更に、他方側に前記表示部が設けられていることを特徴とする請求項１記載の電子ペーパー。
【請求項３】
前記カード基材の表裏面の一方側に、前記記憶部と前記表示部とが設けられていることを特徴とする請求項１記載の電子ペーパー。
【請求項４】
前記電子ペーパーの記録部が、磁気記録部であることを特徴とする請求項１又は請求項２に記載の電子ペーパー。
【請求項５】
前記電子ペーパーの記憶部が、ＩＣメモリであることを特徴とする請求項１又は請求項３に記載の電子ペーパー。
【請求項６】
電子ペーパーと、前記電子ペーパー用のリーダライタとからなる電子ペーパー表示システムであって、
シート状のカード基材と、データを記録する記録部又はデータを記憶する記憶部と、前記データに基づき情報を表示する表示部と、接続端子部とを有するカード形状の電子ペーパーと、
前記電子ペーパーを挿入する挿入部と、前記挿入部に挿入された電子ペーパーの接続端子部と接触する位置に備えられた接続端子部と、前記電子ペーパーの記録部又は記憶部に記録又は記憶されているデータを読み取るデータ読取部と、前記データ読取部から読み取ったデータを処理する読取処理部と、前記読取処理部に基づき処理された情報を、前記電子ペーパーの表示部に表示するための制御を行う表示制御部とを有するリーダライタと、
からなることを特徴とする電子ペーパー表示システム。
【請求項７】
前記リーダライタに、外部システムと通信を行う通信制御部が設けられ、前記通信制御部が前記読取処理部及び前記表示制御部に接続されていることを特徴とする請求項６記載の電子ペーパー表示システム。
【発明の詳細な説明】
【技術分野】
【０００１】
本発明は、電子ペーパー及び電子ペーパー表示システムに関する。
【背景技術】
【０００２】
従来、クレジットカードやポイントカード等のカード媒体が保持している情報については、ＩＣチップや磁気等により情報のやり取りや書き換えが可能である。
しかし、表面情報を書き換え可能とする方法として、与える熱量によって変色する材料を塗布した基材を用いて、書き換えるときにはサーマルヘッド等で熱を与え、情報の表示する箇所を発色するサーマルリライト方式が知られている。
【０００３】
しかしながら、サーマルリライト方式では、発色させる色毎に材料を変更する必要があり、また、複数の色を発色させるために各色用の材料を混合して配置した場合でも、色毎に反応する熱量が明確に分かれているわけではないため、ある色を発色させるために与える熱量や位置の制御が困難であり、目的とした色だけを発色させることができないという問題がある。
また、サーマルリライト方式では、熱を与えるためのサーマルヘッド等が不可欠となり、非接触での表示書き換えが不可能であるという不便がある。
【０００４】
また、近年、表示した画像を長期間保持することができる電子ペーパーが知られている。（例えば、特許文献１、２、３参照）
このような電子ペーパーは、青・緑・赤の３層の液晶層に、透明フィルム、透明電極、電極、封止剤、光吸収層などを有しており、表示内容をフルカラーで表示することができるように構成されている。
また、液晶材料には、コレステリック液晶材料を使用することで、薄く、軽く、明るく、メモリー性を有しているという特徴を備えており、紙のように薄く軽くて視認性が良く、電源がなくても表示が消えないと共に、微弱電波だけで表示内容の書き換えが可能なことから、各種の表示用媒体として適している。
しかしながら、上記のような特徴を有する電子ペーパーが、非接触ＩＣカード等のカードの表示部として有効に活用されていないという問題がある。
【０００５】
【特許文献１】特開２００３−７６３５４号公報
【特許文献２】特開２００４−４５６４３号公報
【特許文献３】特開２００５−２６７１８８号公報
【発明の開示】
【発明が解決しようとする課題】
【０００６】
そこで、本発明は、非接触ＩＣカード等のカードの表示部として、電子ペーパーを有効に活用できるようにして、カードに備えられた記録部又は記憶部に記録又は記憶されたデータを、カード上で表示できるようにした電子ペーパー及び電子ペーパー表示システムを提供する。
【課題を解決するための手段】
【０００７】
上記の課題を達成するために、本発明の電子ペーパーは、シート状のカード基材と、データを記録する記録部又はデータを記憶する記憶部と、前記データに基づき情報を表示する表示部と、接続端子部とを有することを特徴とする。
【０００８】
また、本発明の電子ペーパーは、前記カード基材の表裏面の一方側に、前記記録部が設けられ、更に、他方側に前記表示部が設けられていることを特徴とする。
【０００９】
更に、本発明の電子ペーパーは、前記カード基材の表裏面の一方側に、前記記憶部と前記表示部とが設けられていることを特徴とする。
【００１０】
また、本発明の電子ペーパーは、前記電子ペーパーの記録部が、磁気記録部であることを特徴とする。
【００１１】
更に、本発明の電子ペーパーは、前記電子ペーパーの記憶部が、ＩＣメモリであることを特徴とする。
【００１２】
そして、本発明の電子ペーパー表示システムは、電子ペーパーと、前記電子ペーパー用のリーダライタとからなる電子ペーパー表示システムであって、シート状のカード基材と、データを記録する記録部又はデータを記憶する記憶部と、前記データに基づき情報を表示する表示部と、接続端子部とを有するカード形状の電子ペーパーと、前記電子ペーパーを挿入する挿入部と、前記挿入部に挿入された電子ペーパーの接続端子部と接触する位置に備えられた接続端子部と、前記電子ペーパーの記録部又は記憶部に記録又は記憶されているデータを読み取るデータ読取部と、前記データ読取部から読み取ったデータを処理する読取処理部と、前記読取処理部に基づき処理された情報を、前記電子ペーパーの表示部に表示するための制御を行う表示制御部とを有するリーダライタと、からなることを特徴とする。
【００１３】
また、本発明の電子ペーパー表示システムは、前記リーダライタに、外部システムと通信を行う通信制御部が設けられ、前記通信制御部が前記読取処理部及び前記表示制御部に接続されていることを特徴とする。
【発明の効果】
【００１４】
本発明の電子ペーパーは、シート状のカード基材と、データを記録する記録部又はデータを記憶する記憶部と、前記データに基づき情報を表示する表示部と、接続端子部とを有しているので、非接触ＩＣカード等のカードの表示部として、電子ペーパーを有効に活用することができ、カードに備えられた記録部又は記憶部に記録又は記憶されたデータを、カード上に表示できるという効果がある。
【００１５】
また、本発明の電子ペーパーは、カード基材の表裏面の一方側に、記録部が設けられ、更に、他方側に表示部が設けられているので、表示部の表示領域を広くとることができ、多くの情報を表示することができるという効果がある。
【００１６】
更に、本発明の電子ペーパーは、電子ペーパーの記録部が、磁気記録部であるので、磁気カードに情報の表示を行う際に、表示内容をカラーで表示することができるという効果がある。
【００１７】
また、本発明の電子ペーパーは、電子ペーパーの記憶部が、ＩＣメモリであるので、ＩＣカードに情報の表示を行う際に、表示内容をカラーで表示することができるという効果がある。
【００１８】
また、本発明の電子ペーパー表示システムは、シート状のカード基材に備えた電子ペーパーの表示部に、記録部又は記憶部に記録又は記憶されているデータを表示することができるので、非接触ＩＣカード等のカードの表示部として、電子ペーパーを有効に活用できるという効果がある。
【００１９】
更に、本発明の電子ペーパー表示システムは、リーダライタに、外部システムと通信を行う通信制御部が設けられ、通信制御部が読取処理部及び表示制御部に接続されているので、外部システムから受信した情報を、シート状のカード基材に備えた電子ペーパーの表示部に表示することができるので、非接触ＩＣカード等のカードの表示部として、電子ペーパーを有効に活用できるという効果がある。
【発明を実施するための最良の形態】
【００２０】
以下、本発明の実施形態に係る電子ペーパー及び電子ペーパー表示システムについて、図面に基づいて詳細に説明する。
図１は、本発明の実施形態に係る電子ペーパーの平面図、図２は、本発明の実施形態に係る電子ペーパーの構成を説明する展開図、図３は、図１のＡ−Ａ線断面図、図４は、本発明の実施形態に係る電子ペーパー表示システムの構成を説明する図、図５は、本発明の他の実施形態に係る電子ペーパーの構成を説明する図である。
【００２１】
本発明の実施形態に係る電子ペーパー１は、図１及び図３に示すように、外観形状がレジットカードやキャッシュカード等と同等のサイズからなるカード形状を有している。
電子ペーパー１の構成は、シート状のカード基材２を挟んで、その一方の面上に電子ペーパーの表示部３が備えられ、また、他方の面上に磁気記録部４が備えられている。
また、図３に示すように、電子ペーパーの表示部３と磁気記録部４の表面を保護するために、表示部３と磁気記録部４の表面上にそれぞれ保護層５が備えられている。
【００２２】
ここで、磁気記録部４は、データを記録する記録部であり、電子ペーパーの表示部３は、磁気記録部４に記録されたデータを表示する表示部である。
更に、外部用の接続端子部６が備えられ、この接続端子部６は、接続部７により電子ペーパーの表示部３に接続されている。
これにより、外部用の接続端子部６から入力されたデータに基づいて、電子ペーパーの表示部３に表示できるように構成されている。
【００２３】
次に、本発明の実施形態に係る電子ペーパー表示システムは、カード形状を有する電子ペーパー１と、電子ペーパー用のリーダライタ１０とからなる。
カード形状の電子ペーパー１は、上記したように、データを記録する記録部又はデータを記憶する記憶部と、前記データに基づき情報を表示する表示部と、接続端子部とを有する。
【００２４】
また、電子ペーパー用のリーダライタ１０は、図４に示すように、電子ペーパー１を挿入するための挿入部１１と、その挿入部１１に挿入された電子ペーパー１の接続端子部６と接触する位置に備えられた接続端子部１２と、電子ペーパー１の記録部又は記憶部に記録又は記憶されているデータを読み取る磁気ヘッドからなるデータ読取部１３と、このデータ読取部１３から読み取ったデータを処理する読取処理部１４と、読取処理部１４に基づき処理された情報を、電子ペーパー１の表示部３に表示するための制御を行う表示制御部１５と、外部システム１７に通信可能に接続している通信制御部１６とを有している。
また、リーダライタ１０には、挿入部１１に挿入された電子ペーパー１を搬送させる搬送部を備えるようにしてもよい。
【００２５】
利用者が電子ペーパー１の表示部に表示をさせる場合には、リーダライタ１０の挿入部１１から電子ペーパー１を挿入してセットする。
そして、リーダライタ１０の磁気ヘッドからなるデータ読取部１３により、電子ペーパーの磁気記録部４に記録されているデータの読み取りを行う。
その後、磁気ヘッドからなるデータ読取部１３で読み取られたデータは、読取処理部１４に送信されて処理が行われ、この処理されたデータは、表示制御部１５の制御により接続端子部１２から電子ペーパー１に送られて、電子ペーパー１の表示部３に表示内容が表示される。
【００２６】
また、外部システム１７からリーダライタ１０が受信したデータを、電子ペーパー１の表示部に表示させる場合には、通信制御部１６で外部システム１７から送信されたデータを受信し、この受信されたデータは、表示制御部１５の制御により接続端子部１２から電子ペーパー１に送られて、電子ペーパー１の表示部３にそのデータの表示内容が表示される。
【００２７】
次に、図５に基づいて、本発明の他の実施形態に係る電子ペーパー２０について説明する。
図５に示されている電子ペーパー２０は、用いられ、アンテナ部２１と、通信制御部２２と、記憶部２３と、電子ペーパーの表示部２４とが備えられている。
アンテナ部２１は、外部に備えられているリーダライタから送信された電波を受信したり、リーダライタに電波を送信する。
そして、アンテナ部２１で受信したデータを、通信制御部２２により記憶部２３に記憶させることができるように構成されている。
また、記憶部２３に記憶されているデータは、表示部２４に表示することができるように構成されている。
【００２８】
また、非接触ＩＣカードとして電子ペーパー２０を用いる場合には、図４に示した電子ペーパー用のリーダライタ１０におけるデータ読取部１３を、磁気ヘッドに代えてアンテナを設けることで、電子ペーパー２０のアンテナ部２１に対して電波によりデータの送受信が行えるように構成される。
【００２９】
上記のように、本発明の電子ペーパーは、磁気カード、非接触ＩＣカードなどに適応することができ、カードに備えられた記録部又は記憶部に記録又は記憶されているデータをフルカラーで表示することができるように構成されている。
また、本発明の電子ペーパー表示システムは、カードに備えられた記録部又は記憶部に記録又は記憶されているデータを読み取り、電子ペーパーの表示部にフルカラーで表示することができるように構成されている。
【図面の簡単な説明】
【００３０】
【図１】本発明の実施形態に係る電子ペーパーの平面図である。
【図２】本発明の実施形態に係る電子ペーパーの構成を説明する展開図である。
【図３】図１のＡ−Ａ線断面図である。
【図４】本発明の実施形態に係る電子ペーパー表示システムの構成を説明する図である。
【図５】本発明の他の実施形態に係る電子ペーパーの構成を説明する図である。
【符号の説明】
【００３１】
１  電子ペーパー
２  シート状のカード基材
３  表示部
４  磁気記録部
５  保護層
６  外部用の接続端子部
７  接続部
１０  電子ペーパー用のリーダライタ
１１  挿入部
１２  接続端子部
１３  データ読取部
１４  読取処理部
１５  表示制御部
１６  通信制御部
１７  外部システム
【図１】
2008071217.tif 000003
【図２】
2008071217.tif 000004
【図３】
2008071217.tif 000005
【図４】
2008071217.tif 000006
【図５】
2008071217.tif 000007